(57)【要約】【課題】  無線基地局装置２により通信される信号を無線中継増幅装置（ブースタ）１ａ、１ｂが中継するに際して増幅する無線中継増幅システムで、無線基地局装置からブースタの利得を遠隔制御する。【解決手段】  無線基地局装置では、無線受信手段がブースタにより増幅されて無線送信される信号を受信し、受信信号レベル検出手段が当該受信信号のレベルを検出し、利得制御情報無線送信手段が当該検出結果に基づいてブースタによる増幅の利得を制御するための利得制御情報をブースタに対して無線送信する。ブースタでは、無線受信手段が当該利得制御情報を受信し、増幅利得制御手段が当該利得制御情報に基づいて増幅の利得を制御し、信号増幅無線送信手段が当該制御利得で信号を増幅して無線基地局装置に対して無線送信する。【選択図】  図１
2005303613.tif 000002
【特許請求の範囲】
【請求項１】
無線基地局装置により通信される信号を無線中継増幅装置が中継するに際して増幅する無線中継増幅システムにおいて、
無線基地局装置は、無線中継増幅装置により増幅されて無線送信される信号を受信する無線受信手段と、
無線受信手段により受信された無線中継増幅装置からの信号のレベルを検出する受信信号レベル検出手段と、
受信信号レベル検出手段による検出結果に基づいて無線中継増幅装置による増幅の利得を制御するための利得制御情報を無線中継増幅装置に対して無線送信する利得制御情報無線送信手段と、を備え、
無線中継増幅装置は、無線基地局装置から無線送信される利得制御情報を受信する無線受信手段と、
無線受信手段により受信された無線基地局装置からの利得制御情報に基づいて増幅の利得を制御する増幅利得制御手段と、
増幅利得制御手段により制御された利得で信号を増幅して無線基地局装置に対して無線送信する信号増幅無線送信手段と、を備えた、
ことを特徴とする無線中継増幅システム。
【発明の詳細な説明】
【技術分野】
【０００１】
本発明は、無線基地局装置と無線中継増幅装置（ブースタ）を有する無線中継増幅システムに関し、特に、無線基地局装置からブースタの利得を遠隔制御する無線中継増幅システムに関する。
【背景技術】
【０００２】
例えば、携帯電話システムや簡易型携帯電話システム（ＰＨＳ：Personal Handy phone System）などの移動無線通信システムが実施等されている。移動無線通信システムでは、不感地帯の領域（エリア）をカバーするために、無線中継増幅装置（ブースタ）が使用されることが多い（例えば、特許文献１参照。）。
ブースタの設置時に問題となるのは、利得の設定値の妥当性評価が難しい点である。従来では、無線基地局装置のアンテナ端出力と設置場所での電界を実測して、損失＝（アンテナ端出力−実測値）とし、当該損失を補う利得を与える方法が、一般的な調整法であった。
【０００３】
【特許文献１】特開２００３−１８８８０８号公報
【発明の開示】
【発明が解決しようとする課題】
【０００４】
しかしながら、従来におけるブースタの利得調整法では、設定した時点における固定利得での動作となるため、例えばサービスエリアヘの基地局装置の追加や移動や送信電力の変更等により、初期の利得設定が無効となって再調整や再設定の必要が生じてしまうといった問題点があった。
本発明は、このような従来の事情に鑑み為されたもので、無線基地局装置から無線中継増幅装置（ブースタ）の利得を遠隔制御することが可能であり、ブースタの利得を簡易に設定や調整することが可能な無線中継増幅システムを提供することを目的とする。
【課題を解決するための手段】
【０００５】
上記目的を達成するため、本発明に係る無線中継増幅システムでは、無線基地局装置により通信される信号を無線中継増幅装置が中継するに際して増幅する構成において、次のような処理を行う。
すなわち、無線基地局装置では、無線受信手段が無線中継増幅装置により増幅されて無線送信される信号を受信し、受信信号レベル検出手段が無線受信手段により受信された無線中継増幅装置からの信号のレベルを検出し、そして、利得制御情報無線送信手段が、受信信号レベル検出手段による検出結果に基づいて、無線中継増幅装置による増幅の利得を制御するための利得制御情報を、無線中継増幅装置に対して無線送信する。
また、無線中継増幅装置では、無線受信手段が無線基地局装置から無線送信される利得制御情報を受信し、増幅利得制御手段が無線受信手段により受信された無線基地局装置からの利得制御情報に基づいて増幅の利得を制御し、信号増幅無線送信手段が増幅利得制御手段により制御された利得で信号を増幅して無線基地局装置に対して無線送信する。
従って、無線基地局装置から無線中継増幅装置（ブースタ）の利得を遠隔制御することが可能であり、無線中継増幅装置の利得を簡易に設定や調整することが可能である。
【０００６】
ここで、無線中継増幅装置は、例えば、移動局装置（端末装置）などから無線基地局装置に対して無線送信される信号（上り信号）や、無線基地局装置から移動局装置などに対して無線送信される信号（下り信号）を中継し、具体的には、例えば、中継対象となる信号を無線受信して増幅して無線送信する。
また、信号のレベルとしては、種々なものが用いられてもよく、例えば、振幅のレベルや、電力のレベルなどを用いることができ、一例として、ＲＳＳＩ（Received Signal Strength Indicator）の値を用いることができる。
また、無線基地局装置において生成される利得制御情報としては、種々な情報が用いられてもよく、例えば、無線中継増幅装置による増幅の利得を増加させる或いは減少させることを指示する情報や、無線中継増幅装置による増幅の利得の値を指定する情報などを用いることができる。
また、無線中継増幅装置は、中継対象となる信号を増幅する増幅手段として、例えば、可変利得増幅器のように、利得を可変に制御することが可能な増幅器を備える。
また、無線中継増幅装置は、例えば、上り信号と下り信号とのそれぞれについて独立に、中継対象となる信号を増幅する増幅手段を備える。そして、上り信号の増幅手段と下り信号の増幅手段は、例えば、共通の利得制御情報に基づいて利得が共通に制御される、或いは、それぞれに対応した異なる利得制御情報に基づいて利得が独立に制御される。
また、無線中継増幅装置の信号増幅無線送信手段は、例えば、増幅利得制御手段により制御された利得で中継対象となる上り信号を増幅して無線基地局装置に対して無線送信する。
【０００７】
以下で、更に、本発明に係る構成例を示す。
一構成例として、無線基地局装置の利得制御情報無線送信手段は、利得制御情報を報知信号に含めて無線送信する。
ここで、報知信号は、例えば、無線基地局装置により収容される全ての移動局装置や無線中継増幅装置などに対して情報を報知するために無線送信される。
一構成例として、利得制御情報は、無線中継増幅装置を識別する無線中継増幅装置識別情報と、識別される無線中継増幅装置の利得を制御するための無線中継増幅装置利得制御情報とを対応付けて構成される。
ここで、無線中継増幅装置の識別情報としては、種々な情報が用いられてもよく、例えば、複数の無線中継増幅装置のそれぞれを識別することが可能な番号情報などを用いることができる。
一構成例として、無線中継増幅装置は、自装置（当該無線中継増幅装置）の識別情報を記憶する識別情報記憶手段を備える。また、無線中継増幅装置の増幅利得制御手段は、利得制御情報に含まれる自装置の識別情報と一致する無線中継増幅装置識別情報に対応した無線中継増幅装置利得情報に基づいて、増幅の利得を制御する。
【０００８】
一構成例として、１個の無線基地局装置に対して、複数の無線中継増幅装置が設けられる。そして、当該１個の無線基地局装置が、これら複数の無線中継増幅装置について１個ずつ所定の順番で、増幅の利得を制御するための処理を行う。増幅の利得を制御するための処理としては、例えば、複数の無線中継増幅装置のうちの１個以外の増幅の利得を最低化（例えば、増幅オフとする態様を含む）して当該１個の無線中継増幅装置の利得の変化、決定、設定などの１以上を実行することを、これら複数の無線中継増幅装置について所定の順番で行う。
ここで、複数の無線中継増幅装置についての所定の順番としては、種々な順番が用いられてもよく、例えば、識別情報として番号情報が用いられる場合にその番号順を用いることができる。
一構成例として、無線基地局装置の利得制御情報無線送信手段は、無線中継増幅装置からの信号を受信処理するための無線受信部の熱雑音と比べて、無線中継増幅装置からの熱雑音が所定のレベル（例えば、ｘ［ｄＢ］）だけ小さくなるように、無線中継増幅装置による増幅の利得を制御する。
一構成例として、無線中継増幅装置からの熱雑音は、例えば、無線中継増幅装置により中継する信号（例えば、無線基地局装置への上り信号）が無い状態或いは無いとみなされる状態で、無線基地局装置により無線中継増幅装置からの受信信号のレベルに基づいて検出される。
一構成例として、無線基地局装置が無線中継増幅装置の利得の制御を所定のタイミングで開始させる。
ここで、所定のタイミングとしては、種々なタイミングが用いられてもよく、例えば、移動局装置などから無線中継増幅装置を介して無線基地局装置への上り信号が存在しないようなタイミングを用いることができる。
【発明の効果】
【０００９】
以上説明したように、本発明に係る無線中継増幅システムによると、無線基地局装置により通信される信号を無線中継増幅装置が中継するに際して増幅する構成において、無線基地局装置では、無線中継増幅装置により増幅されて無線送信される信号を受信して、当該受信信号のレベルを検出し、当該検出結果に基づいて無線中継増幅装置による増幅の利得を制御するための利得制御情報を無線中継増幅装置に対して無線送信し、また、無線中継増幅装置では、無線基地局装置から無線送信される利得制御情報を受信して、当該受信した利得制御情報に基づいて増幅の利得を制御し、当該制御した利得で信号を増幅して無線基地局装置に対して無線送信するようにしたため、無線基地局装置から無線中継増幅装置（ブースタ）の利得を遠隔制御することが可能であり、無線中継増幅装置の利得を簡易に設定や調整することが可能である。
【発明を実施するための最良の形態】
【００１０】
本発明に係る一実施例を図面を参照して説明する。
図１には、本発明の一実施例に係る無線中継増幅システムの構成例を示してある。
具体的には、２個の無線中継増幅装置（ブースタ）１ａ、１ｂと、１個の無線基地局装置２と、複数の端末装置３ａ〜３ｅを示してあり、また、無線基地局装置２によりカバーされるサービス領域（サービスエリア）Ｒ１と、ブースタ１ａによりカバーされる不感地帯の領域Ｒ２と、ブースタ１ｂによりカバーされる不感地帯の領域Ｒ３を示してある。
無線基地局装置２は、そのサービスエリアに存在する端末装置３ａ、３ｂ、３ｃとの間で信号を無線により通信し、また、ブースタ１ａ、１ｂとの間で信号を無線により通信する。
ブースタ１ａは、無線基地局装置２との間で信号を無線により通信し、また、不感地帯の領域Ｒ２或いはその近くに設置されて、当該不感地帯の領域Ｒ２に存在する端末装置３ｄとの間で信号を無線により通信する。
同様に、ブースタ１ｂは、無線基地局装置２との間で信号を無線により通信し、また、不感地帯の領域Ｒ３或いはその近くに設置されて、当該不感地帯の領域Ｒ３に存在する端末装置３ｅとの間で信号を無線により通信する。
例えば、無線基地局装置２によりカバーする領域Ｒ１が、セル端、ビル影、地下街、トンネル等に掛かると弱電界の領域（不感地帯の領域）Ｒ２、Ｒ３が発生し、サービスの提供が不可能となる。その不感地帯の領域Ｒ２、Ｒ３へサービスエリアを拡張するのがブースタ１ａ、１ｂの役割である。各ブースタ１ａ、１ｂは、無線基地局装置２からの下り信号を増幅して不感地帯の領域Ｒ２、Ｒ３に対して輻射するとともに、不感地帯の領域Ｒ２、Ｒ３に存在する端末装置３ｄ、３ｅからの上り信号を増幅して無線基地局装置２に対して輻射することにより、このような役割を果たす。
【００１１】
図２には、ブースタ１ａの構成例を示してある。なお、ブースタ１ｂについても同様である。
本例のブースタ１ａは、増幅器２１、２２を有した増幅部１１と、利得制御部１２と、報知情報受信部１３と、アンテナ１４、１５を備えている。
アンテナ１４は、無線基地局装置２の側に設けられており、無線基地局装置２から無線送信される下り信号を受信し、上り信号を無線基地局装置２に対して無線送信する。
アンテナ１５は、不感地帯の領域Ｒ２の側に設けられており、下り信号を不感地帯の領域Ｒ２に存在する端末装置３ｄに対して無線送信し、不感地帯の領域Ｒ２に存在する端末装置３ｄから無線送信される上り信号を受信する。
増幅部１１の下りの増幅器２１は、アンテナ１４により受信された下り信号を増幅してアンテナ１５へ出力する。
増幅部１１の上りの増幅器２２は、アンテナ１５により受信された上り信号を増幅してアンテナ１４へ出力する。
なお、増幅部１１の構成や動作は、例えば、通常の固定利得ブースタと同様である。
【００１２】
利得制御部１２は、増幅部１１が有するそれぞれの増幅器２１、２２の利得を与えて制御する。本例の利得制御部１２は、報知情報受信部１３からの指示に従って、各増幅器２１、２２の利得を調整する。なお、固定利得ブースタでは、利得制御部１２から供給する利得の設定値が固定値となる。
ここで、本例では、下りの増幅器２１に対する利得と上りの増幅器２２に対する利得を同一とした場合を示すが、それぞれが独立した構成が用いられてもよい。
報知情報受信部１３は、無線基地局装置２により無線送信される下り信号内に含まれる報知情報を受信する。受信方式は、例えばシステムに応じて固有となるが、一例として、端末装置３ａ〜３ｅの受信部と同一の方式を用いることができる。
【００１３】
図３には、無線基地局装置２の構成例を示してある。
本例の無線基地局装置２は、送受信制御部３１と、送受信部３２と、送信無線部３３と、アンテナ共用器（ＤＵＰ）３４と、アンテナ３５と、受信無線部３６と、ＲＳＳＩ（Received Signal Strength Indicator）測定部３７と、利得調整部３８を備えている。
送受信制御部３１は、送受信する制御データ／回線データの合成、分配、生成を行う機能と、外部へブースタ利得調整要求を出力する機能と、外部から与えられるブースタ利得情報に基づいて報知情報のデータフォーマットを更新する機能を有している。送受信制御部３１は、下り信号を送受信部３２へ出力し、上り信号を送受信部３２から入力する。
送受信部３２は、ＤＵＰ３４を通過する上り下り無線信号の送受信を行う機能を有しており、送受信制御部３１から入力される下り信号を送信処理して送信無線部３３へ出力し、受信無線部３６から入力される上り信号を受信処理して送受信制御部３１へ出力する。
送信無線部３３は、送受信部３２から入力される下り信号を無線周波数帯で送信処理してＤＵＰ３４へ出力する。
【００１４】
ＤＵＰ３４は、上り下り無線信号の分配／合成を行う機能を有しており、送信無線部３３から入力される下り信号をアンテナ３５へ出力し、アンテナ３５から入力される上り信号を受信無線部３６へ出力する。
アンテナ３５は、ＤＵＰ３４から入力される下り信号を無線送信し、上り信号を無線受信してＤＵＰ３４へ出力する。
受信無線部３６は、ＤＵＰ３４から入力される上り信号を無線周波数帯で受信処理して送受信部３２へ出力するとともに、ＲＳＳＩ測定部３７へ出力する。
ＲＳＳＩ測定部３７は、受信無線部３６から入力される上り信号の受信電界強度を測定し、当該測定した値（ＲＳＳＩ値）を数値化して利得調整部３８へ出力する。
利得調整部３８は、送受信制御部３１から出力されるブースタ利得調整要求に従って、ＲＳＳＩ測定部３７から入力されるＲＳＳＩ値を用いてブースタ利得情報を生成し、当該ブースタ利得情報を送受信制御部３１へ供給する。
【００１５】
図４には、本例の無線基地局装置２から無線送信される報知情報のデータフォーマットの構成例を示してあり、主に、ブースタ関連報知情報の部分を示してある。
ブースタ関連報知情報は、それぞれのブースタ１ａ、１ｂを識別する識別情報であるブースタＩＤと、ブースタＩＤにより指示されるブースタ１ａ、１ｂに対する設定利得との対の１又は２以上から構成される。本例では、一連のブースタ関連報知情報には、無線基地局装置２内に含まれるブースタ１ａ、１ｂの収容数（本例では、複数であるｎ個）分の情報が含まれる。
本例のブースタ１ａの報知情報受信部１３は、無線基地局装置２から無線送信される報知情報内に含まれるブースタ関連報知情報を抽出し、外部より与えられる自装置のブースタＩＤ（認証）に基づいて当該ブースタ関連報知情報に含まれる自装置のブースタに対応する情報を更に抽出し、当該情報中に含まれる利得設定情報を利得制御部１２へ与える。
【００１６】
図５を参照して、本例のブースタ１ａにより行われる動作の一例を示す。なお、ブースタ１ｂについても同様である。
まず、報知情報受信部１３は、所定の報知情報受信タイマウエイトによる待ち状態にあるとする（ステップＳ１）。このとき、増幅部１１の増幅器２１、２２の利得は利得制御部１２により与えられて、当該増幅器２１、２２は通常の増幅動作を行っている。
報知情報受信タイマウエイトが所望の時間になると、報知情報受信部１３は報知情報の受信動作へ移行する。なお、本例では、報知情報受信部１３が報知情報の受信動作へ移行しても、増幅部１１や利得制御部１２には何ら影響を与えない。
無線基地局装置２からの報知情報を受信すると（ステップＳ２）、報知情報受信部１３は当該報知情報からブースタ関連報知情報の部分を抽出して、その中に含まれるブースタＩＤを抽出し（ステップＳ３）、抽出したブースタＩＤと自装置のＩＤとの照合を取って（ステップＳ４）、自装置のＩＤを検索する。
【００１７】
そして、自装置のＩＤと一致するブースタＩＤをブースタ関連報知情報中に見つけた場合には、当該ブースタＩＤと対を成す利得情報を抽出して（ステップＳ５）、当該利得情報による利得の値を利得制御部１２へ与え、これにより、利得制御部１２は与えられた利得値の情報に基づいて増幅部１１の増幅器２１、２２の利得を制御して設定する（ステップＳ６）。
また、利得制御部１２への利得情報の伝達が終了すると（ステップＳ６）、報知情報受信部１３は、再び、報知情報受信タイマウエイトによる待ち状態へ戻る（ステップＳ１）。
ここで、報知情報受信タイマウエイトの時間としては、適宜設定されてもよく、例えば、無線基地局装置２における報知情報の最小更新時間より短い時間を設定するのが適当である。これは、制御遅延の減少という観点のためである。
このように、本例のブースタ１ａ、１ｂでは、報知情報を用いた遠隔操作により、利得の制御が可能である。
【００１８】
図６を参照して、本例の無線基地局装置２により行われる動作の一例を示す。
まず、ブースタの利得調整は、送受信制御部３１がブースタ利得調整要求を発することにより開始される。当該ブースタ利得調整要求が発行される前までは、前回のブースタ利得調整要求で得られた結果に基づいたブースタ関連報知情報の内容となっており、ブースタは当該ブースタ関連報知情報の内容に従って利得を調整して動作している。
ここで、ブースタ利得調整要求を発行する条件としては、様々なものが用いられてもよく、例えば、上りのトラヒックがかかっていない夜間等の状態を送受信制御部３１が検出したことに応じて、ブースタ利得調整要求を発行するなどの態様を用いることができる。なお、送受信制御部３１は、システムリソースを管理しており、当該管理内容に基づいてトラヒックの状態などを検出することが可能である。
【００１９】
ブースタ利得調整要求が発行されると、利得調整部３８は利得調整動作へ移行し、無線基地局装置２内で収容している全てのブースタの利得を最低化（例えば、増幅オフ（増幅ＯＦＦ）とする態様を含む）するようにブースタ利得情報を作成して、送受信制御部３１へ供給する。送受信制御部３１は、与えられたブースタ利得情報に基づいて報知情報のデータフォーマットを更新し、当該ブースタ利得情報を報知情報として送信する。そして、当該更新された報知情報を各ブースタが受信して利得を最低化する（ステップＳ１１）。
このように利得が最低である状態では、無線基地局装置２が受信するブースタからの上り信号が無いため、ＲＳＳＩ測定部３７は無線基地局装置２の受信無線部３６の雑音電力（ＲＳＳＩ＿０）を測定することとなる（ステップＳ１２）。そして、当該雑音電力（ＲＳＳＩ＿０）を基準ＲＳＳＩとして利得調整部３８内のメモリに格納する（ステップＳ１３）。
次に、収容しているｎ個のブースタのうち、ＩＤ＝１のブースタに対してのみ利得を与えるように、利得調整部３８がブースタ利得情報を作成して送受信制御部３１へ供給する（ステップＳ１４）。送受信制御部３１は、与えられたブースタ利得情報に基づいて、報知情報のデータフォーマットを更新して、当該ブースタ利得情報を報知情報として送信する。当該更新された報知情報を各ブースタが受信すると、ＩＤ＝１のブースタのみ利得の増加が与えられ、他のブースタは最低利得のままとなる。ＩＤ＝１のブースタは報知情報を受信して、ブースタ利得情報を取り出し、当該ブースタ利得情報に基づいてブースタの利得を調整する。
【００２０】
利得調整部３８は、ＩＤ＝１のブースタに対してのみ利得を増加するように順次ブースタ利得情報を作成して送受信制御部３１へ供給し（ステップＳ１５）、ＲＳＳＩ測定部３７により出力される測定ＲＳＳＩ値（受信電力）を監視して（ステップＳ１６）、｛測定ＲＳＳＩ値＝雑音電力（ＲＳＳＩ＿０）値＋３ｄＢ｝となるところまで、ＩＤ＝１のブースタに対してのみ利得を増加するように順次ブースタ利得情報を作成して送受信制御部３１へ供給する（ステップＳ１７）。このとき、ＩＤ＝１以外のブースタは最低利得であるため、無線基地局装置２が受信する受信電力はＩＤ＝１のブースタからの受信電力のみとなる。
そして、利得調整部３８は、｛測定ＲＳＳＩ値＝雑音電力（ＲＳＳＩ＿０）値＋３ｄＢ｝となったところで（ステップＳ１７）、ＩＤ＝１のブースタに対する利得の増加を停止し、このときにおけるＩＤ＝１のブースタに対する利得調整値からｘｄＢを減じた値を、当該ＩＤ＝１のブースタ利得情報ＧＡＩＮ＿１としてメモリに記憶する（ステップＳ１８）。
【００２１】
ここで、｛測定ＲＳＳＩ値＝雑音電力（ＲＳＳＩ＿０）値＋３ｄＢ｝である状態は、（無線基地局装置２の受信無線部３６の熱雑音）＝（無線基地局装置２で受信したＩＤ＝１のブースタの増幅部１１（例えば、増幅器２２）の熱雑音）という関係が成立する状態であり、｛測定ＲＳＳＩ値＝（無線基地局装置２の受信無線部３６の熱雑音）×２｝となる状態である。つまり、これ以上の利得をＩＤ＝１のブースタに与えて当該ブースタの利得を増加させると、当該ブースタの増幅部１１（例えば、増幅器２２）の熱雑音が増幅された状態で無線基地局装置２に受信されて当該熱雑音が無線基地局装置２の受信無線部３６の熱雑音のレベルより高くなる状態に相当し、単に無線基地局装置２に対する干渉を増加させる結果となる。
このため、｛測定ＲＳＳＩ値＝雑音電力（ＲＳＳＩ＿０）値＋３ｄＢ｝である状態におけるＩＤ＝１のブースタに対する利得値（ブースタ利得情報）からｘｄＢを減じた値を設定することにより、当該ブースタが無線基地局装置２に与える干渉量を制御する。これにより、当該ブースタが無線基地局装置２に対する干渉源とならないようにする。
ここで、利得情報から減ずるｘ（ｄＢ）の値としては、例えば、システムにおける総干渉状態（総干渉量）等に基づいて適宜決定される。
【００２２】
上記のようにしてＩＤ＝１のブースタの利得ＧＡＩＮ＿１を記憶すると、利得調整部３８は再び当該ＩＤ＝１のブースタの利得を最低化し（ステップＳ１９）、これにより、全ての収容ブースタの利得が最低化された初期の状態へ戻る。
その後、ブースタのＩＤを１ずつ増加させていき（ステップＳ２０）、ＩＤ＝２以降でＩＤ＝ｎまでの収容ブースタ数分だけ（ステップＳ２１）、全てのブースタに関してＩＤ＝１のブースタと同様な動作を行い（ステップＳ１５〜ステップＳ２０）、これにより、収容される全てのブースタの設定利得ＧＡＩＮ＿１〜ＧＡＩＮ＿ｎが得られてメモリに記憶される。
このようにして全てのブースタの設定利得ＧＡＩＮ＿１〜ＧＡＩＮ＿ｎが得られて記憶されると、利得調整部３８は、これら記憶された各ブースタの設定利得に基づいて、全てのブースタに対して設定利得を与えるように、ブースタ利得情報を作成して送受信制御部３１へ供給する。当該ブースタ利得情報は、報知情報として送信される。
上記の動作により、無線基地局装置２では、収容している全てのブースタに対して利得の設定を遠隔操作ですることができる。
【００２３】
以上のように、本例の無線中継増幅システムにおいて、無線中継増幅装置（ブースタ）１ａ、１ｂでは、報知情報受信部１３が無線基地局装置２からの報知情報に基づいて利得情報を抽出し、利得制御部１２が当該利得情報に従って増幅部１１の利得を設定する。また、無線基地局装置２では、ＲＳＳＩ測定部３７が受信レベルを測定し、利得調整部３８が外部から与えられるブースタ利得調整要求に従って収容ブースタの利得調整動作を当該受信レベル測定値に基づいて行ってこの結果として収容ブースタの利得情報を外部へ出力し、送受信制御部３１などの送信機能がブースタ利得調整要求を外部へ供給するとともに利得調整部３８から供給される利得情報に基づいて報知情報内のブースタ関連報知情報をフォーマットして下り信号により報知する。
また、本例の無線基地局装置２では、ブースタ１ａ、１ｂの利得を調整するに際して、収容する各ブースタ個別に増幅部１１の雑音電力を測定することにより、各ブースタに設定すべき利得を取得する。
また、本例では、例えば、無線基地局装置２とブースタ１ａ、１ｂとを独立動作とせずに、システムとして関連付けして統合することにより遠隔操作を可能とする。
【００２４】
従って、本例の無線中継増幅システムでは、無線基地局装置２からブースタ１ａ、１ｂへ利得制御の指示を出してブースタ１ａ、１ｂの利得を遠隔制御することにより、無線基地局装置２により収容されるブースタ１ａ、１ｂの利得を遠隔操作により再設定や再調整することが可能であり、これにより、例えば、伝搬環境が変化しても最適なブースタ利得調整を簡易に行うことができる。また、本例では、各ブースタ１ａ、１ｂにＩＤを付与して、一のブースタに対する利得の設定を他のブースタの利得を最低化して行うことを、ＩＤの順に各ブースタに対して順次実行していく。
このように、本例の無線中継増幅システムでは、例えば、ブースタ１ａ、１ｂが単独で利得制御を実施することなくとも、ブースタ１ａ、１ｂ側で下りの電界測定や伝播損失の計算などを特には行うことなくとも、伝搬路の伝搬状況を把握して、無線基地局装置２に対するブースタ１ａ、１ｂからの影響（干渉）を最小限に抑えることが可能である。
【００２５】
なお、本例の無線中継増幅装置（ブースタ）１ａ、１ｂでは、アンテナ１４や報知情報受信部１３により無線基地局装置２から無線送信された利得制御情報（本例では、ブースタ利得情報）を受信する機能により利得制御情報無線送信手段が構成されており、利得制御部１２が利得制御情報に基づいて増幅部１１の増幅器２１の利得や増幅器２２の利得を制御する機能により増幅利得制御手段が構成されており、増幅部１１の増幅器２２やアンテナ１４により制御された利得で信号を増幅して無線基地局装置２に対して無線送信する機能により信号増幅無線送信手段が構成されている。
また、本例の無線基地局装置２では、アンテナ３５やアンテナ共用器（ＤＵＰ）３４や受信無線部３６により無線中継増幅装置１ａ、１ｂにより増幅されて無線送信された信号を受信する機能により無線受信手段が構成されており、ＲＳＳＩ測定部３７が当該受信信号のレベルを検出する機能により受信信号レベル検出手段が構成されており、利得調整部３８が当該受信信号のレベルに基づいて利得制御情報（本例では、ブースタ利得情報）を生成して送受信制御部３１や送受信部３２や送信無線部３３やアンテナ共用器（ＤＵＰ）３４やアンテナ３５により無線送信する機能により利得制御情報無線送信手段が構成されている。
【００２６】
ここで、本発明に係る無線中継増幅システムや無線基地局装置や無線中継増幅装置（ブースタ）や端末装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々な装置やシステムとして提供することも可能である。
また、本発明の適用分野としては、必ずしも以上に示したものに限られず、本発明は、種々な分野に適用することが可能なものである。
また、本発明に係る無線中継増幅システムや無線基地局装置や無線中継増幅装置（ブースタ）や端末装置などにおいて行われる各種の処理としては、例えばプロセッサやメモリ等を備えたハードウエア資源においてプロセッサがＲＯＭ（Read Only Memory）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Compact Disc）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００２７】
【図１】本発明の一実施例に係る無線中継増幅システムの構成例を示す図である。
【図２】無線中継増幅装置（ブースタ）の構成例を示す図である。
【図３】無線基地局装置の構成例を示す図である。
【図４】報知情報の構成例を示す図である。
【図５】無線中継増幅装置（ブースタ）により行われる処理の手順の一例を示す図である。
【図６】無線基地局装置により行われる処理の手順の一例を示す図である。
【符号の説明】
【００２８】
１ａ、１ｂ・・無線中継増幅装置（ブースタ）、  ２・・無線基地局装置、  ３ａ〜３ｅ・・端末装置、  Ｒ１〜Ｒ３・・領域、  １１・・増幅部、  １２・・利得制御部、  １３・・報知情報受信部、  ２１、２２、３５・・アンテナ、  ２３、２４・・増幅器、  ３１・・送受信制御部、  ３２・・送受信部、  ３３・・送信無線部、  ３４・・アンテナ共用器、  ３６・・受信無線部、  ３７・・ＲＳＳＩ測定部、  ３８・・利得調整部、
【図１】
2005303613.tif 000003
【図２】
2005303613.tif 000004
【図３】
2005303613.tif 000005
【図４】
2005303613.tif 000006
【図５】
2005303613.tif 000007
【図６】
2005303613.tif 000008